(57)【特許請求の範囲】
【請求項１】
床面に設置される基材と、前記基材に対して上方に向かって垂直な面を回動可能に設けられた支柱と、前記支柱を回動方向に付勢可能に設けられた姿勢保持部材と、前記支柱に取り付けられ前記姿勢保持部材と反対側に位置し介護が必要な被介護者の胸の前側を受ける胸部保持部材と、前記被介護者の大腿部を受けて前記支柱の回動方向と同方向に回転する支持面である大腿部保持部材とを備え、
前記支柱は、被介護者の左右の両側に位置する一対の第一支柱とこの第一支柱に各々軸支された一対の第二支柱とから成り、前記第一支柱は前記基材に対して上方に突出して固定され、前記第二支柱は前記第一支柱の上端部に回動可能に取り付けられ、
前記大腿部保持部材は、前記一対の第一支柱の間に取り付けられ、前記胸部保持部材は、前記一対の第二支柱の間に取り付けられ、前記姿勢保持部材は、上端部が前記胸部保持部材に軸止され、下端部が前記第一支柱に対して揺動可能に設けられたことを特徴とする移乗器具。
【請求項２】
床面に設置される基材と、前記基材に対して上方に向かって垂直な面を回動可能に設けられた支柱と、前記支柱を回動方向に付勢可能に設けられた姿勢保持部材と、前記支柱に取り付けられ前記姿勢保持部材と反対側に位置し介護が必要な被介護者の胸の前側を受ける胸部保持部材と、前記被介護者の大腿部を受けて前記支柱の回動方向と同方向に回転する支持面である大腿部保持部材とを備え、
前記支柱は、前記被介護者の正面に位置する一対の第一支柱と第二支柱とから成り、前記第一支柱と前記第二支柱は互いに同形で、前記第一支柱と前記第二支柱の各下端部が前記基材に対して前記被介護者の前後方向に所定距離だけ離れて取り付けられ、前記第一支柱と前記第二支柱は、前記基材に対して垂直方向の面内で前記被介護者の前後方向に揺動可能に設けられ、前記第一支柱と前記第二支柱は互いに平行に位置して平行四辺形のリンク構造に形成され、
前記大腿部保持部材は、前記第一支柱と前記第二支柱に対して、前記被介護者側に取り付けられ、前記胸部保持部材は、前記第一支柱と前記第二支柱に取付部材を介して設けられ、前記取付部材が前記第一支柱と前記第二支柱に軸支されたことを特徴とする移乗器具。
【請求項３】
前記大腿部保持部材は、前記被介護者の足下から膝裏まで上下動し、固定可能に設けられている請求項１または２記載の移乗器具。
【請求項４】
前記大腿部保持部材は、ローラクッションから成る請求項１，２または３記載の移乗器具。
【請求項５】
前記基材の前記支柱の取付位置付近に設けられ前記大腿部保持部材と平行に位置したステップと、前記基材の下側面に取り付けられたキャスタが設けられた請求項２記載の移乗器具。
【発明の詳細な説明】
【技術分野】
【０００１】
この発明は、介護が必要な人の身体を保持する身体保持部材を有する移乗支援器具に関する。
【背景技術】
【０００２】
一般的に、高齢による足腰の筋力低下や障害等により、自分の力で立ち上がり、向きを変えたり歩くことができなくなると、介護者の介助が必要となる。介護者は、このような被介護者が、ベッドから車椅子やトイレ等に移る際の動作の介助において、移乗作業を行っている。従来、このような移乗作業は、介護者が腰を屈めて両腕を被介護者の腋の下から背に回し、抱きかかえて少し立たせ、被介護者の体の向きを変えて座らせている。しかし、被介護者を抱きかかえて立たせたり座らせたりする動作は、介護者に被介護者の体重がかかるため負担が大きく、介護者にとっては腰痛等が発生しやすいものであった。また、トイレの前後に下着の着脱をするためには、被介護者を立たせておかなければならず、立位保持が不安定な被介護者の場合には、介護者はその介助も同時に行う必要があり、介助動作は重労働であった。さらに、被介護者も苦痛であり、転倒する危険にさらされていた。そのため、そのような状態の被介護者は「寝かせきり」にされ、その後、自分で何もできない「寝たきり老人」となってしまう場合が多く、被介護者の尊厳が損なわれている状況にあった。
【０００３】
そこで、被介護者をトイレに連れて行く際に、介護者の移乗作業の負担を軽減するために用いられる移乗器が提案されている。特許文献１に開示されている移乗介護支援車は、移動用台車と移乗用架台とで構成され、移乗用架台はガススプリングを介して移動用台車に対して回転可能に設けられている。移乗用架台には、被介護者の身体の各部分をそれぞれ保持する足置き、すね当て、差し込みもも当て、腹当て、腕置き机、握り棒が設けられている。この移乗介護支援車の使用法は、移乗用架台に被介護者の身体を各部材に当て、移乗用架台を被介護者の前方へ向かってガススプリングにより回動させ、任意の位置で停止させて被介護者の体重を移乗用架台に受ける。トイレ等まで移動用台車で移動させ、移乗用架台を元の位置に回動させて被介護者をトイレに座らせるものである。
【０００４】
特許文献２に開示されている移乗装置は、台車と、台車上に傾動自在に設けられた支柱が設けられている。支柱には、被介護者の臀部を支える座部プレートと、胸部を支える胸当パッドと、腋下を支える腋部サポートが設けられている。座プレートは支柱に対して開閉自在である。胸当パッドと腋部サポートは、支柱に沿って摺動自在に設けられている。この移乗装置の使用方法は、被介護者を座部プレートに座らせて支柱を被介護者の前方へ傾動させ、被介護者の体重は胸当パッドと腋部サポートで担うことになり、座部プレートは体重から開放される。そして、被介護者をトイレに座らせるには、体重から開放された座部プレートを閉じて畳み、胸当パッドと腋部サポートを下方にスライドさせ、被介護者の上体が前傾姿勢のまま滑り降り、臀部が便器等に着座するものである。
【先行技術文献】
【特許文献】
【０００５】
【特許文献１】特開２００５−２１１６２８号公報
【特許文献２】特開２００５−３２８９５０号公報
【発明の概要】
【発明が解決しようとする課題】
【０００６】
上記背景技術の場合、被介護者の体重を受ける部材である差し込みもも当てや座部プレートは、被介護者が座る位置を変える際の移動の便宜について考えられていないものであり、被介護者が乗り込むときや降りるときに、体重をかけながら体の位置をずらすことが困難で不便なものであった。
【０００７】
この発明は、上記背景技術の問題点に鑑みてなされたものであり、介護者が簡単に操作することができ、被介護者の乗り降りが容易且つ安全であり、確実に移乗作業を補助することができる移乗器具を提供することを目的とする。
【課題を解決するための手段】
【０００８】
この発明は、床面に設置される基材と、前記基材に対して上方に向かって垂直な面を回動可能に設けられた支柱と、前記支柱を回動方向に付勢可能に設けられた姿勢保持部材と、前記支柱に取り付けられ前記姿勢保持部材と反対側に位置し介護が必要な被介護者の胸の前側を受ける胸部保持部材と、前記被介護者の大腿部を受けて前記支柱の回動方向と同方向に回転する支持面である大腿部保持部材とを備えた移乗器具である。
【０００９】
前記支柱は、被介護者の左右の両側に位置する一対の第一支柱とこの第一支柱に各々軸支された一対の第二支柱とから成り、前記第一支柱は前記基材に対して上方に突出して固定され、前記第二支柱は前記第一支柱の上端部に回動可能に取り付けられ、前記大腿部保持部材は、前記一対の第一支柱の間に取り付けられ、前記胸部保持部材は、前記一対の第二支柱の間に取り付けられ、前記姿勢保持部材は、上端部が前記胸部保持部材に軸止され、下端部が前記第一支柱に対して揺動可能に設けられたものである。
【００１０】
または、前記支柱は、前記被介護者の正面に位置する一対の第一支柱と第二支柱とから成り、前記第一支柱と前記第二支柱は互いに同形で、前記第一支柱と前記第二支柱の各下端部が前記基材に対して前記被介護者の前後方向に所定距離だけ離れて取り付けられ、前記第一支柱と前記第二支柱は、前記基材に対して垂直方向の面内で前記被介護者の前後方向に揺動可能に設けられ、前記第一支柱と前記第二支柱は互いに平行に位置して平行四辺形のリンク構造に形成され、前記大腿部保持部材は、前記第一支柱と前記第二支柱に対して、前記被介護者側に取り付けられ、前記胸部保持部材は、前記第一支柱と前記第二支柱に取付部材を介して設けられ、前記取付部材が前記第一支柱と前記第二支柱に軸支されたものである。
【００１１】
前記支持面は、前記被介護者の足下から膝裏まで上下動し、固定可能に設けられている。さらに、前記支持面は、ローラクッションから成るものである。
【００１２】
また、前記基材の前記支柱の取付位置付近に設けられ前記大腿部保持部材と平行に位置したステップと、前記基材の下側面に取り付けられたキャスタが設けられたものでも良い。
【発明の効果】
【００１３】
本発明の移乗器具は、簡単な構造で被介護者の乗り降りの動作が容易且つ安全であり、介護者が被介護者の前方から確実に移乗作業を補助することができ、介護者の負担を軽減することができる。被介護者は着座姿勢から単純に体重移動することにより臀部が開放されるため、衣服の着脱が容易であり、転倒を防止し、また自助動作を容易にすることにより、介助時間が短縮し被介護者の尊厳を守ることができる。
【図面の簡単な説明】
【００１４】
【図１】この発明の第一実施形態の移乗器具の使用状態を示す側面図である。
【図２】この発明の第一実施形態の移乗器具の斜視図である。
【図３】第一実施形態の移乗器具の変形例の使用状態を示す側面図である。
【図４】第一実施形態の移乗器具の他の変形例を示す斜視図である。
【図５】この発明の第二実施形態の移乗器具の使用状態を示す側面図である。
【図６】この発明の第二実施形態の移乗器具の斜視図である。
【発明を実施するための形態】
【００１５】
以下、この発明の実施形態について図面に基づいて説明する。図１、図２はこの発明の第一実施形態を示すもので、この移乗器具１０は、床面にほぼ水平に位置する金属や樹脂、木製等の所定長さのフレームで作られたＨ形の板部材から成る基材１２が設けられている。基材１２の下面には、四隅にそれぞれキャスタ１５が取り付けられている。
【００１６】
一対の基材１２の長手方向の途中には、上方に向かって第一支柱１６がそれぞれ設けられている。第一支柱１６は、基材１２に沿う方向が側面となる板体であり、基材１２の長手方向に対してほぼ直角に立設されている。一対の第一支柱１６の互いに対向する面には、第一支柱１６の長手方向に沿って溝部１９が形成されている。一対の溝部１９には、被介護者４０が一時的に腰を下ろす支持面であるとともに、被介護者４０の大腿部を受ける大腿部保持部材であるローラクッション１８の両端部が、移動可能に取り付けられている。ローラクッション１８の回転軸は、一対の第一支柱１６の長手方向に直角に交差してほぼ水平に位置し、この回転軸等が第一支柱１６の内側に形成された溝部１９に移動可能に差し込まれている。溝部１９には、ローラクッション１８を任意の位置で係止するロック部材とレバーからなる係止部材１７が設けられ、係止部材１７によりローラクッション１８を地面から膝裏までの間の所望の位置で固定することができる。係止部材１７のレバー１７ａは、溝部１９に収納可能に設けられている。
【００１７】
第一支柱１６の上端部１６ａは、被介護者４０がベッド４２等に腰かけたときの腰付近に達している。一対の第一支柱１６の上端部１６ａには、基材１２の長手方向に対してほぼ平行に突出する取付部材２０が各々設けられている。取付部材２０は、基材１２に沿う方向が側面となる板体であり第一支柱１６の外側面に固定され、取付部材２０の先端部２０ａは、基材１２の端部よりも内側に位置している。一対の取付部材２０の間には、取付板２２が設けられている。取付板２２は、一対の取付部材２０に対して直角に取り付けられて、取付部材２０とともにコの字形に形成されている。取付板２２は、被介護者４０の大腿部に当接し、被介護者４０が前方に滑り出てしまうのを防止している。
【００１８】
一対の第一支柱１６の上端部１６ａには、上方に向かって第二支柱２４がそれぞれ設けられている。第二支柱２４は、第一支柱１６に沿う方向が側面となる柱状体であり、第一支柱１６の上端部１６ａの内側面に、回転可能に軸部材２６で取り付けられている。第一支柱１６の上端部１６ａ近傍には、取付部材２０の突出方向と反対側の側縁部２４ｂに、胸部保持部材３０が取り付けられている。
【００１９】
胸部保持部材３０は、被介護者４０がもたれかかっても大丈夫な強度に形成された樹脂や金属、その他布製等の剛性を有する部材であり、被介護者４０の胸の前側を覆う湾曲した帯状に形成されている。胸部保持部材３０は、一対の第二支柱２４に対して直角方向に取り付けられ、略コの字形に湾曲して形成されている。
【００２０】
取付部材２０の取付板２２と、第二支柱２４の胸部保持部材３０との間には、ガススプリング２８が取り付けられている。ガススプリング２８は第二支柱２４の傾きを抑制し制御するものであり、上端部が胸部保持部材３０の被介護者４０と反対側となる外側面に軸止され、下端部が取付板２２の外側面に軸止され、第二支柱２４の回動方向に揺動可能である。
【００２１】
一対の第二支柱２４の、胸部保持部材３０が取り付けられている位置には、被介護者４０の背中に回して締め、胸部保持部材３０に上半身を固定するベルト３２が一対取り付けられている。一対のベルト３２は、被介護者４０の背中で互いに重なる長さであり、重なる部分には、面ファスナ３４が取り付けられている。
【００２２】
次に、この実施形態の移乗器具１０の使用方法について図２に基づいて説明する。ここでは、ベッド４２や椅子に腰掛けている被介護者４０を、ベッド４２からベッド４２近傍に置いた図示しないトイレ等に座らせる動作を例に説明する。
【００２３】
まず被介護者４０をベッド４２等に座らせた状態とし、被介護者４０の前に移乗器具１０を配置する。このとき、移乗器具１０の胸部保持部材３０を被介護者４０に向け、基材１２をベッド４２の下に差し込んで、被介護者４０の近くに寄せてキャスタ１５をロックする。このとき、図１に示す左側の二点鎖線の被介護者４０の状態で、移乗器具１０のローラクッション１８は、溝部１９に沿って下げてあり、被介護者４０は、座位のままでローラクッション１８を容易にまたぐことができる。そして、移乗する際、ローラクッション１８を被介護者４０の膝裏に引き上げて、係止部材１７のレバー１７ａにより固定する。
【００２４】
この後、被介護者４０を介護者が側方から押して、被介護者４０をローラクッション１８上で滑らせ、第二支柱２４側に寄せて、腰がベッド４２から離れた図１に示す右側の二点鎖線の被介護者４０の状態とする。このとき、ローラクッション１８が中心軸で回転するので、被介護者４０の移動動作が容易である。この状態で、図１の右側の二点鎖線に示すように、被介護者４０の胸に胸部保持部材３０を当て、ベルト３２を背中に回して締めて固定する。
【００２５】
次に、被介護者４０が胸部保持部材３０に上半身を載せるように体重移動すると、被介護者４０が前のめりになるように傾動して、第二支柱２４を倒しながら胸部保持部材３０に被介護者４０の上半身が預けられる。このとき被介護者４０は、胸部保持部材３０に体重を預けた状態となり、ローラクッション１８にほとんどは体重をかけていない状態、または離れた状態となる。これで図１の実線で示す状態となる。
【００２６】
この後、介護者がキャスタ１５により移乗器具１０を水平方向に移動させ、ベッド４２から離し、向きを回転させて被介護者４０の背面が目的のトイレや車椅子等に向くようにする。この方向転換は介護者が被介護者４０や移乗器具１０を押して行う。
【００２７】
次に、被介護者４０は移乗器具１０の第二支柱２４を元に戻しながら、ローラクッション１８から離れるように移動してトイレに移り、胸部保持部材３０に体重を預けた状態で、ズボン等を下げ、体をローラクッション１８側に戻し、トイレの便座に腰掛ける。この後、ベルト３２の面ファスナ３４を剥がしてベルト３２を外し、ローラクッション１８を下げて、不要であれば、ローラクッション１８を下げて移乗器具１０を被介護者４０から離して移乗作業が終了する。また、ローラクッション１８から体重移動した後、臀部がローラクッション１８から開放された状態となるので、自助動作が可能な被介護者４０は、この状態で衣服の着脱を行う。また、トイレからベッド等へ戻る場合も、上記と同様の動作を行う。
【００２８】
この実施形態の移乗器具１０によれば、簡単な構造で被介護者４０の移乗動作が容易且つ安全であり、介護者が被介護者４０の前方から移乗作業を確実に補助することができ、介護者の負担も軽減することができる。さらに、トイレや車椅子への移動に容易に使用することができ、車椅子を利用する被介護者４０の活動範囲を広げ、生活の質を改善することができる。また、介護者の作業姿勢が楽なように改善され、足腰の重量負荷を軽減し、在宅介護や老々介護の場合も使いやすいものである。さらに、被介護者４０は、ローラクッション１８に大腿部を載せて、容易に胸部保持部材３０へ移動することができる。しかも、被介護者４０が胸部保持部材３０に上半身の体重を預けた状態で、介護者が移乗器具１０を押してキャスタ４０により長い距離を移動させることができる。
【００２９】
その他、ローラクッション１８は軸周りに回転するため、移乗器具１０の乗り降りの動作がきわめて容易で安全なものとなる。ローラクッション１８の回転により、腰を上げることなく滑りを可能とし、移乗器具１０に乗っているときに、被介護者４０は安定した位置にくるように座る位置を前後に調整することができる。被介護者４０がローラクッション１８から離れる後ろ方向に移動すると、臀部をローラクッション１８から離して開放することができ、トイレの前後に衣服を着脱する介護を容易に行うことができ、胸部保持部材３０に体を預けた姿勢のままで衣服の着脱が可能となり、転倒を防止して安全なものとなる。また、トイレの自助動作を容易にして介助を最低限に抑えて尊厳を守ることができる。
【００３０】
次に、この発明の第一実施形態の変形例について、図３を基にして説明する。ここで、上記実施形態と同様の部材は同様の符号を付して説明を省略する。この移乗器具１０は、ローラクッション１８に代えて、抵抗が軽減され滑りの良い生地等により表面が覆われた支持面４５を備えたものである。支持面４５も、ローラクッション１８と同様に、第一支柱１６間を任意の位置にロック可能に上下動可能である。
【００３１】
また、図４に示すように、ローラクッション１８ａ，１８ｂが中央部で分割されており、各ローラクッション１８ａ，１８ｂが片持ち状態で回転可能に支持されていても良い。これにより、脚部を容易にローラクッション１８ａ，１８ｂに載せることができ、より移乗が容易となる。さらに、各ローラクッション１８ａ，１８ｂが弾性的に上下左右に揺動可能に設けられていると良い。これにより、より容易に移乗が可能となる。
【００３２】
次に、この発明の第二実施形態について、図５、図６を元にして説明する。ここで、上記実施形態と同様の部材は同様の符号を付して説明を省略する。この実施形態の移乗器具５０は、床面にほぼ水平に位置する金属製などの所定長さのフレームで作られた第一基材５２と、第一基材５２の両端部にほぼ直角に交差する一対の第二基材５４が、Ｈ字形に連結されて設けられている。
【００３３】
第一基材５２の長手方向の途中には、上方に向かって第一支柱５６と第二支柱５８が設けられている。第一支柱５６と第二支柱５８は互いに同形で、断面形状が四角形の中空のフレームであり、第一支柱５６、第二支柱５８のそれぞれ下端部５６ａ，５８ａは、連結部材６０を介して、第一基材５２に沿って互いに所定距離はなれて取り付けられている。第一支柱５６、第二支柱５８は、第一基材５２の長手方向を含む垂直な面を回動可能に、連結部材６０に軸止されている。
【００３４】
第一支柱５６、第二支柱５８のそれぞれ上端部５６ｂ，５８ｂには、第一基材５２に対してほぼ平行な１個の取付部材６２が設けられている。取付部材６２は、第一基材５２よりも短いフレームで作られ第一基材５２の長手方向を含む垂直な面に位置している。第一支柱５６、第二支柱５８の上端部５６ｂ，５８ｂは、下端部５６ａ，５８ａと同じ間隔で取付部材６２に取り付けられ、第一支柱５６と第二支柱５８は互いに平行に位置している。さらに、第一支柱５６、第二支柱５８は、第一基材５２の長手方向を含む垂直な面を回転可能に軸止され、第一支柱５６、第二支柱５８、第一基材５２、取付部材６２からなる平行四辺形のリンク構造となっている。取付部材６２の一方の端部は第一支柱５６の上端部５６ｂに位置し、他方の端部は第二支柱５８の上端部５８ｂを通過して外側に突出し、被介護者を介護する介護者４４が使用する介護者用ハンドル６３が設けられている。介護者用ハンドル６３は、取付部材６２の長手方向に対して直角に交差してほぼ水平に両側に突出する棒体である。
【００３５】
第二支柱５８の下端部５８ａより少し上の位置には、姿勢保持部材であるガススプリング２８が設けられている。ガススプリング２８の上端部は第二支柱５８に軸止され、下端部は第一基材５２の端部に連結された第二基材５４の、第一基材５２の延長線上の位置に軸止されている。ガススプリング２８は第二支柱５８の傾きを制御するものである。
【００３６】
第一支柱５６、第二支柱５８の途中には、ガススプリング２８と反対側に突出する胸部保持部材３０が設けられている。胸部保持部材３０は、被介護者４０の胸の前側を覆う矩形の板状に形成され、被介護者４０に当接する表面にはクッション材が取り付けられている。胸部保持部材３０の裏面には支持部材６７が突出して設けられ、支持部材６７の先端には、第一支柱５６、第二支柱５８を挟んで交差して軸止する一対の取付部材６８が設けられている。支持部材６７、取付部材６８は所定長さのフレームで作られている。胸部保持部材３０は、支持部材６７、取付部材６８を水平にしたとき上端側が第一支柱５６に近づく方向に僅かに傾斜している。取付部材６８には、第一支柱５６、第二支柱５８に当接する位置に孔部６９が形成され、また第一支柱５６、第二支柱５８には長手方向に孔部６９に連通する孔部５７，５９がそれぞれ長手方向に沿って複数形成されている。取付部材６８の孔部６９を、第一支柱５６、第二支柱５８の任意の位置の孔部５７，５９に一致させてボルト等が挿通されて、第一支柱５６、第二支柱５８の高さを調整して回転可能に取り付けられている。一対の取付部材６８の、胸部保持部材３０と反対側の端部は、第二支柱５８を通過してガススプリング２８側へ突出し、被介護者用ハンドル６５が設けられている。被介護者用ハンドル６５は、一対の取付部材６８をほぼ直角に貫通してほぼ水平に両側へ突出する棒体である。
【００３７】
第二支柱５８の、ガススプリング２８の取付位置よりも少し上方に、介護者４４用の足踏みペダル７２が設けられている。足踏みペダル７２は、第二支柱５８から第一基材５２に沿う方向に突出し、わずかに下方へ傾斜する棒部材である。
【００３８】
第一基材５２の下端面には、第一支柱５６の取付位置の近傍に、被介護者４０が足を乗せるステップ７４が設けられている。ステップ７４は、第一基材５２にほぼ直角に交差してほぼ水平に両側へ突出する棒体である。
【００３９】
第一基材５２の、第一支柱５６よりも胸部保持部材３０の突出する方向に移動した位置に、被介護者４０の大腿部を受ける支持面である大腿部保持部材のローラクッション１８が設けられている。ローラクッション１８は、第一基材５２の長手方向に直角に交差してほぼ水平な方向を中心軸とし、回転可能であり、ローラクッション１８の中心部が取付部材７０の上端部に連結されている。取付部材７０は被介護者４０の体重を受けるため強度が高いフレームで作られ、取付部材７０の下端部は第一基材５２に取り付けられている。取付部材７０は、移乗時に乗りやすいように下げることができ、被介護者４０の膝の位置や身長に合わせて伸ばした際の固定高さを変えることができる。一対の第二基材５４の下側面には、キャスタ１５が設けられている。キャスタ１５は、一対の第二基材５４のそれぞれ両端部に計４個が設けられている。
【００４０】
次に、この実施形態の移乗器具５０の使用方法について図５に基づいて説明する。ここでは、ベッドや椅子７６に腰掛けている被介護者４０を、椅子７６から椅子７６近傍に置いた図示しないトイレ等に座らせる動作を例に説明する。まず被介護者４０の前に、移乗器具５０を持って介護者４４が立ち、移乗器具５０の胸部保持部材３０を被介護者４０に向ける。そして被介護者４０は、座位のままで移乗器具５０のローラクッション１８が膝裏付近に来るように、ローラクッション１８側方から足を差し入れ、ローラクッション１８上を体重移動させながら滑り込むようにして乗り込み、椅子７６から離れる。このときローラクッション１８が回転するので乗り込み動作が容易である。乗り込むときに、被介護者４０が胸部保持部材３０を手で持ち、引き寄せると簡単に移動する。被介護者４０はローラクッション１８に大腿部を載せて体重をかけた状態となる。そして、介護者４４がキャスタ４０を転がしながら移乗器具５０を水平方向に移動させ、椅子７６から離れ、次に回転させて被介護者４０の背面が目的のトイレ等に向くようにする。この方向転換は介護者４４が介護者用ハンドル６３により行う。
【００４１】
次に、被介護者４０はローラクッション１８から離れるように移動してトイレに移り、移乗器具５０から降りて移乗作業が終了する。移乗器具５０から降りる動作は、ローラクッション１８が回転するため容易である。ローラクッション１８から降りる途中で、臀部がローラクッション１８から開放された状態となり、自助動作が可能な被介護者４０は、この状態で衣服の着脱を行う。不可能な場合は介護者４４が行う。
【００４２】
なお、椅子７６がある程度硬いものであれば、被介護者４０がローラクッション１８に乗り込み、胸部保持部材３０を持って引き寄せることで臀部が椅子７６から上がることができ、第一支柱５６、第二支柱５８を固定したままで傾動させる必要が無い。しかし、椅子７６が柔らかくで体重によるくぼみが大きいときは、臀部が食い込んで抵抗が大きいため乗り移ることが困難であり、第一支柱５６、第二支柱５８を傾動させて、椅子７６から離れる動作を補助する。まず、被介護者４０がローラクッション１８に少し乗っている状態で被介護者４０の胸部を胸部保持部材３０に当て被介護者用ハンドル６５を握らせる。両足はステップ７４にのせる。この状態で介護者４４は、足踏みペダル７２に片足を載せながら介護者用ハンドル６３を介護者４４の手前に引く。すると第一支柱５６、第二支柱５８が回転し、被介護者４０を前方向に引き出し、体重が胸部保持部材３０にかかり、臀部が椅子７６とローラクッション１８から離れて開放される。なお第一支柱５６、第二支柱５８が回動するとき、倒れる方向にはガススプリング２８の反発力が抵抗となって動作を安定にし、起こす際にはガススプリング２８の反発力が動作を助け、介護動作を補助する。また、ガススプリング２８により、第一支柱５６、第二支柱５８の傾倒動作において、任意の角度で容易に姿勢を維持可能にしている。この状態で介護者４４が移乗器具５０を椅子７６から離れるほうへ移動すると被介護者４０は椅子７６から離れる。
【００４３】
また、トイレの前後で衣服を着脱する際に、被介護者４０の残存能力に合わせて、臀部をローラクッション１８から広く離す必要がある場合も、第一支柱５６、第二支柱５８を倒す。第一支柱５６、第二支柱５８が回転し、被介護者４０を被介護者４０の前方向に引き出し、体重が胸部保持部材３０にかかり、臀部がローラクッション１８から離れて開放される。そして衣服の着脱の介護をした後は、第一支柱５６、第二支柱５８の傾斜を戻して被介護者４０を一旦ローラクッション１８に降ろしてからローラクッション１８を移動してトイレに移り、移動作業が終了する。
【００４４】
この実施形態の移乗器具５０によれば、簡単な構造で被介護者４０の乗り降りの動作が容易で安全であり、確実に移乗作業を補助することができ、介護者４４の負担を軽減することができる。介護者４４の人力による操作を基本とし、ガススプリング２８はサポートする目的で取り付けられた小形のものであり、装置が小形・軽量で可搬性に富むものである。さらに、トイレや車椅子への移動に使用することができ、車椅子を利用する被介護者４０の活動範囲を広げ、生活の質を改善することができる。介護者４４の作業姿勢が楽なように改善され、足腰の重量負荷を軽減し、在宅介護や老々介護を支援することができる。被介護者４０は、ローラクッション１８に大腿部を当接して体重をかけて安定して座ることができ、座った状態で介護者４４が移乗器具５０を押してキャスタ４０により長い距離を移動させることもできる。
【００４５】
ローラクッション１８は軸周りに回転するため、移乗器具５０の乗り降りの動作が容易で安全なものとなる。ローラクッション１８の回転により、腰を上げることなく滑りを可能とし、移乗器具５０に乗っているときに、被介護者４０は安定した位置にくるように座る位置を前後に調整することができる。被介護者４０がローラクッション１８から離れる後ろ方向に移動すると、臀部をローラクッション１８から離して開放することができ、トイレの前後に衣服を着脱する介護を容易に行うことができる。
【００４６】
第一支柱５６、第二支柱５８はリンク構造となり、強度が高く、安全に被介護者４０の身体を前上方に押し上げ、椅子７６から離れて移動させることができる。第一支柱５６、第二支柱５８を傾動させても胸部保持部材３０と被介護者用ハンドル６５の角度や高さが大きく変化することが無く、自然な動きとなる。肘掛けが固定された椅子や車椅子でも、肘掛が邪魔にならず、円滑に方向を変えることができる。
【００４７】
第一支柱５６、第二支柱５８と、胸部保持部材３０は、第一支柱５６、第二支柱５８の孔部５７，５９に胸部保持部材３０の孔部６９を一致させて連結するため高さ調節が可能であり、被介護者４０の身長や運動能力に合わせて調節することができる。
【００４８】
また、被介護者４０はローラクッション１８上を移動したり胸部保持部材３０に寄りかかって擬似的な立位移乗をすることで、足で自分の体重の一部を支えて下肢訓練を促し、リハビリや介護予防に結びつく効果がある。被介護者４０の足は固定されていないため、自由に動かすことができ、被介護者４０の意思で身体を支えることができる。第一支柱５６、第二支柱５８を傾動するときは、上体の前傾を増して自然な立ち上がり状態に近づけることができる。
【００４９】
なお、この発明の移乗器具は、上記実施形態に限定されず、各部材は適宜変更可能である。例えば支持面である大腿部保持部材は、回転せずに滑りの良い素材でも良く、滑りの良い素材を表面に設けることにより、前方移動動作を容易にすることができる。また、腰部に当てるベルトの内側には、クッション材を設けても良い。さらに、ガススプリングはコイルスプリング等その他の伸縮要素を用いても良い。胸部保持部材やローラクッション、被介護者用ハンドルは、被介護者の体形に合わせて位置や角度を調整可能としても良い。各部材は形状や素材等、自由に変更可能である。
【符号の説明】
【００５０】
１０  移乗器具
１２  基材
１４  板部材
１５  キャスタ
１６  第一支柱
１８  ローラクッション
１９  溝部
２０  取付部材
２２  取付板
２４  第二支柱
２６  軸部材
２８  ガススプリング
３０  胸部保持部材
４０  被介護者
４４  介護者
【図１】
0005531344.tif 000002
【図２】
0005531344.tif 000003
【図３】
0005531344.tif 000004
【図４】
0005531344.tif 000005
【図５】
0005531344.tif 000006
【図６】
0005531344.tif 000007